(57)【特許請求の範囲】
【請求項１】
建物の周囲の融雪が可能な融雪システムであって、
前記建物の床下空間内には暖房装置が設置されており、
前記暖房装置の暖気吹出部から前記建物の周囲の融雪必要箇所又はその近傍に融雪用暖気吹出口を有する通気経路が設けられており、
前記建物の周囲には、外気吸込口と融雪用暖気吹出口とを有する地中埋設管が設けられており、前記通気経路と前記地中埋設管とは連通しており、前記通気経路の前記融雪用暖気吹出口と前記地中埋設管の前記融雪用暖気吹出口とが共通であり、
前記通気経路と前記地中埋設管の共通である前記融雪用暖気吹出口には、開閉手段が設けられているとともに、前記通気経路の途中には、前記建物の内部空間に流路を切替可能な流路切替手段が設けられていることを特徴とする融雪システム。
【請求項２】
前記地中埋設管の前記外気吸込口には、外気強制吸込手段が設けられていることを特徴とする請求項１に記載の融雪システム。
【請求項３】
前記通気経路の一部が前記融雪必要箇所又はその近傍の地中又は地表面を通っていることを特徴とする請求項１又は２に記載の融雪システム。
【請求項４】
前記建物の周囲にはヒートポンプ装置が設置されており、前記融雪必要箇所は、前記ヒートポンプ装置であることを特徴とする請求項１乃至３のいずれか１項に記載の融雪システム。
【請求項５】
請求項１乃至４のいずれか１項に記載の融雪システムを備えていることを特徴とする建物。
【発明の詳細な説明】
【技術分野】
【０００１】
本発明は、建物の周囲などの融雪を行うことができる融雪システム、及びこの融雪システムを備えた建物に関するものである。
【背景技術】
【０００２】
従来から、冬場などの寒期において、建物の周囲などの融雪を行うことができる技術が多数提案され、実施に供されている。
【０００３】
例えば、特許文献１には、地中に地中埋設管を埋設し、この地中埋設管が吹き出す地中熱との熱交換による暖気を融雪などに利用する技術が開示されている。
【先行技術文献】
【特許文献】
【０００４】
【特許文献１】特開２００９−１２７９８２号公報
【発明の概要】
【発明が解決しようとする課題】
【０００５】
しかしながら、上記した特許文献１のような従来技術では、積雪が多いときなどの建物の屋外条件では、地中熱との熱交換による暖気の熱量だけでは必要な融雪をまかないきれず、対応できない場合があった。
【０００６】
そこで、本発明は、建物の屋外条件に左右されずに対応することができる融雪システム、及びこの融雪システムを備えた建物を提供することを目的としている。
【課題を解決するための手段】
【０００７】
前記目的を達成するために、本発明の融雪システムは、建物の周囲の融雪が可能な融雪システムであって、前記建物内には暖房装置が設置されており、前記暖房装置の暖気吹出部から前記建物の周囲の融雪必要箇所又はその近傍に融雪用暖気吹出口を有する通気経路が設けられていることを特徴とする。
【０００８】
ここで、前記暖房装置は、前記建物の床下空間に設置されているとよい。
【０００９】
また、前記建物の周囲には、外気吸込口と融雪用暖気吹出口とを有する地中埋設管が設けられており、前記通気経路と前記地中埋設管とは連通しており、前記通気経路の前記融雪用暖気吹出口と前記地中埋設管の前記融雪用暖気吹出口とが共通であるとよい。
【００１０】
さらに、前記通気経路と前記地中埋設管の共通である前記融雪用暖気吹出口には、開閉手段が設けられているとともに、前記通気経路の途中には、前記建物の内部空間に流路を切替可能な流路切替手段が設けられていてもよい。
【００１１】
ここで、前記地中埋設管の前記外気吸込口には、外気強制吸込手段が設けられているとよい。
【００１２】
また、前記通気経路の一部が前記融雪必要箇所又はその近傍の地中又は地表面を通っていてもよい。
【００１３】
さらに、前記建物の周囲にはヒートポンプ装置が設置されており、前記融雪必要箇所は、前記ヒートポンプ装置であってもよい。
【００１４】
本発明の建物は、上記した本発明の融雪システムを備えていることを特徴とする。
【発明の効果】
【００１５】
このような本発明の融雪システムは、建物の周囲の融雪が可能な融雪システムであって、建物内には暖房装置が設置されており、暖房装置の暖気吹出部から建物の周囲の融雪必要箇所又はその近傍に融雪用暖気吹出口を有する通気経路が設けられた構成とされている。
【００１６】
こうした構成なので、大きな熱量を有する暖房装置の暖気を利用できるため、積雪が多いときなどの建物の屋外条件でも、これに左右されず、融雪必要箇所の十分な融雪を行うことができる。
【００１７】
ここで、暖房装置は、建物の床下空間に設置されている場合は、暖房装置が建物の床上空間などを占有しないで済む。
【００１８】
また、建物の周囲には、外気吸込口と融雪用暖気吹出口とを有する地中埋設管が設けられており、通気経路と地中埋設管とは連通しており、通気経路の融雪用暖気吹出口と地中埋設管の融雪用暖気吹出口とが共通である場合は、共通である融雪用暖気吹出口からピンポイントで、必要に応じ、地中埋設管経由の暖気、通気経路経由の暖気、又は両者経由の暖気を融雪必要箇所に吹き付けることができる。
【００１９】
さらに、通気経路と地中埋設管の共通である融雪用暖気吹出口には、開閉手段が設けられているとともに、通気経路の途中には、建物の内部空間に流路を切替可能な流路切替手段が設けられている場合は、例えば、夏場などの暑期には、融雪用暖気吹出口の開閉手段を閉状態とし、流路切替手段により通気経路の流路を建物の内部空間側に切り替えることで、地中埋設管の外気吸込口から吸い込まれた外気が、地中で地中熱により冷やされ、建物の内部空間に涼しい冷気を吹き出す心地良い冷房を行うことができる。
【００２０】
ここで、地中埋設管の外気吸込口には、外気強制吸込手段が設けられている場合は、外気強制吸込手段により、外気吸込口から多くの外気を吸い込み、融雪用暖気吹出口から多くの暖気を吹き出すことができる。
【００２１】
また、通気経路の一部が融雪必要箇所又はその近傍の地中又は地表面を通っている場合は、融雪用暖気吹出口から吹き出される暖気だけでなく、通気経路の側面から伝達する熱も融雪に利用することができる。
【００２２】
さらに、建物の周囲にはヒートポンプ装置が設置されており、融雪必要箇所は、ヒートポンプ装置である場合は、冬場などの寒期には、暖気を吹き付けると、ヒートポンプ装置が雪で埋もれてしまうことを防止するとともに、周囲が暖かくなるので、暖房向けのエネルギー効率が良くなり、夏場などの暑期には、地中埋設管を通った冷気を吹き付けると、冷房向けのエネルギー効率が良くなる。
【００２３】
このような本発明の建物は、本発明の融雪システムを備えた構成とされている。
【００２４】
こうした構成なので、上記した本発明の融雪システムの効果を奏する建物とすることができる。
【図面の簡単な説明】
【００２５】
【図１】実施例１の融雪システムを備えた建物の概略構成を示す説明図である。
【図２】実施例１の融雪システムにおいて、暖房運転を行っている状態を示す説明図である。
【図３】実施例１の融雪システムにおいて、地中埋設管としてのダクトを利用した融雪運転を行っている状態を示す説明図である。
【図４】実施例１の融雪システムにおいて、地中埋設管としてのダクト及び暖房装置を利用した融雪運転を行っている状態を示す説明図である。
【図５】実施例１の融雪システムにおいて、暖房装置を利用した融雪運転を行っている状態を示す説明図である。
【図６】実施例１の融雪システムにおいて、冷房運転を行っている状態を示す説明図である。
【図７】実施例２の融雪システムを備えた建物の概略構成を示す説明図である。
【図８】実施例３の融雪システムを備えた建物の概略構成を示す説明図である。
【発明を実施するための形態】
【００２６】
以下、本発明を実施するための形態を、図面に示す実施例１〜３に基づいて説明する。
【実施例１】
【００２７】
先ず、実施例１の構成について説明する。
【００２８】
図１は、実施例１の融雪システムを備えた建物１の概略構成を示している。
【００２９】
まず、この建物１は、地盤に打設された基礎１Ｂ上に建物本体１Ａを構築して構成されている。
【００３０】
ここで、建物１は、建物本体１Ａ内に、内部空間が、給気口７が設けられた床部１３で仕切られて、床下空間１１と床上空間１２とが形成されている。
【００３１】
また、床下空間１１内には、暖気吹出部２ａを有する暖房装置２が設置されている。
【００３２】
さらに、床下空間１１の側面及びその下縁には、断熱材３が設けられ、床下空間１１内は断熱空間とされている。
【００３３】
また、建物１の周囲には、外気吸込口４１と融雪用暖気吹出口４２とを有する中間部分が地中を通る地中埋設管としてのダクト４が設けられている。
【００３４】
ここで、このダクト４が通る地盤の周囲には、地表面を覆う断熱材５１と、この地盤を地中で側方から覆う断熱材５２とが設けられている。
【００３５】
また、ダクト４の外気吸込口４１には、外気強制吸込手段としての外気吸込用ファン４１ａが設けられている。
【００３６】
さらに、ダクト４の融雪用暖気吹出口４２は、融雪必要箇所（中心点Ｐ）の近傍に位置しているとともに、開閉手段としての開閉弁４２ａが設けられている。
【００３７】
また、ダクト４には、融雪用暖気吹出口４２から建物１側に延びる通気経路としての延設部４３が設けられている。
【００３８】
さらに、ダクト４の地中部分と延設部４３との境目には、開閉手段としての開閉弁４３ａが設けられている。
【００３９】
また、ダクト４の延設部４３の建物１側の端部と暖房装置２の暖気吹出部２ａとの間には通気経路としてのダクト６が設けられて連通している。
【００４０】
さらに、床上空間１２の床部１３には、給気口７が設けられており、この給気口７とダクト６の中間部との間が流路切替手段としての流路切替弁６ａを介して空調用通気経路としてのダクト８で接続されている。
【００４１】
そして、暖房装置２には、この実施例１の融雪システムの制御部（図示せず）が内蔵され、床上空間１２と建物１の屋外部分には、温度データをこの制御部に送る温度センサー（図示せず）がそれぞれ設けられている。
【００４２】
次に、この実施例１の融雪システムの運転パターンについて説明する。
【００４３】
まず、この実施例１の融雪システムにおける暖房運転について説明する。
【００４４】
冬場などの寒期に床上空間１２を暖めたいときは、制御部は、流路切替弁６ａをダクト８に暖気が流れるように切替設定する。
【００４５】
そして、暖房装置２の暖気吹出部２ａから暖気を吹き出すと、図２に示したように、ダクト８を通って給気口７から暖気が吹き出され、床上空間１２内の暖房が行われる。
【００４６】
次に、この実施例１の融雪システムにおける融雪運転について説明する。
【００４７】
冬場などの寒期に融雪必要箇所（中心点Ｐ）に積雪Ｓがあるときは、制御部は、融雪用暖気吹出口４２の開閉弁４２ａを開状態とし、開閉弁４３ａも開状態とする。
【００４８】
そして、外気吸込口４１の外気吸込用ファン４１ａを回転させると、図３に示したように、外気吸込口４１からダクト４内に外気が吸い込まれ、この外気は地中部分で熱交換を行い暖気となり、融雪用暖気吹出口４２から吹き出される暖気が積雪Ｓに吹き付けられて融雪が行われる。
【００４９】
図示は省略したが、勿論、この間、図２に示した暖房運転を並行して行っていてもよい。
【００５０】
冬場などの寒期に融雪必要箇所（中心点Ｐ）に積雪Ｓがあるうえに、建物１の屋外の温度センサーが計測した温度データが低く、地中埋設管としてのダクト４を利用した暖気だけでは熱量が不足するときは、制御部は、融雪用暖気吹出口４２の開閉弁４２ａを開状態とし、開閉弁４３ａも開状態とするとともに、流路切替弁６ａをダクト６に暖気が流れるように切替設定する。
【００５１】
そして、外気吸込口４１の外気吸込用ファン４１ａを回転させるとともに、暖房装置２の暖気吹出部２ａから暖気を吹き出すと、図４に示したように、外気吸込口４１からダクト４内に外気が吸い込まれ、この外気は地中部分で熱交換を行い生成された暖気と、暖房装置２の暖気吹出部２ａから吹き出された暖気とが複合して融雪用暖気吹出口４２から吹き出されて積雪Ｓに吹き付けられて融雪が行われる。
【００５２】
冬場などの寒期に融雪必要箇所（中心点Ｐ）に積雪Ｓがあるうえに、建物１の屋外の温度センサーが計測した温度データがさらに低く、地中埋設管としてのダクト４を利用して役に立つ熱量を有する暖気を生成できないときは、制御部は、融雪用暖気吹出口４２の開閉弁４２ａを開状態とし、開閉弁４３ａは閉状態とするとともに、流路切替弁６ａをダクト６に暖気が流れるように切替設定する。
【００５３】
そして、暖房装置２の暖気吹出部２ａから暖気を吹き出すと、図５に示したように、暖房装置２の暖気吹出部２ａから吹き出された暖気のみが融雪用暖気吹出口４２から吹き出されて積雪Ｓに吹き付けられて融雪が行われる。
【００５４】
次に、この実施例１の融雪システムにおける冷房運転について説明する。
【００５５】
夏場などの暑期に床上空間１２を冷やしたいときは、制御部は、融雪用暖気吹出口４２の開閉弁４２ａを閉状態とし、開閉弁４３ａは開状態とするとともに、流路切替弁６ａをダクト８に冷気が流れるように切替設定する。
【００５６】
そして、外気吸込口４１の外気吸込用ファン４１ａを回転させると、図６に示したように、外気吸込口４１からダクト４内に外気が吸い込まれ、この外気は地中部分で熱交換を行いほどよい冷たさの冷気となり、延設部４３とダクト８を通って給気口７から冷気が吹き出され、床上空間１２内の冷房が行われる。
【００５７】
次に、実施例１の作用効果について説明する。
【００５８】
このような実施例１の融雪システムは、建物１の周囲の融雪が可能な融雪システムであって、建物１内には暖房装置２が設置されており、暖房装置２の暖気吹出部２ａから建物１の周囲の融雪必要箇所（中心点Ｐ）の近傍に融雪用暖気吹出口４２を有する通気経路としてのダクト６及び延設部４３が設けられた構成とされている。
【００５９】
こうした構成なので、大きな熱量を有する暖房装置２の暖気を利用できるため、積雪が多いときなどの建物１の屋外条件でも、これに左右されず、融雪必要箇所（中心点Ｐ）の十分な融雪を行うことができる。
【００６０】
ここで、暖房装置２は、建物１の床下空間１１に設置されている。
【００６１】
このため、暖房装置２が建物１の床上空間１２などを占有しないで済む。
【００６２】
また、建物１の周囲には、外気吸込口４１と融雪用暖気吹出口４２とを有する地中埋設管としてのダクト４が設けられており、通気経路としてのダクト６及び延設部４３とダクト４とは連通しており、これらの融雪用暖気吹出口４２が共通である。
【００６３】
このため、この共通である融雪用暖気吹出口４２からピンポイントで、必要に応じ、地中埋設管としてのダクト４経由の暖気、通気経路としてのダクト６及び延設部４３経由の暖気、又は両者経由の暖気を融雪必要箇所（中心点Ｐ）に吹き付けることができる。
【００６４】
さらに、この共通である融雪用暖気吹出口４２には、開閉手段としての開閉弁４２ａが設けられているとともに、通気経路としてのダクト６の途中には、建物１の内部空間としての床上空間１２に繋がるダクト８に流路を切替可能な流路切替手段としての流路切替弁６ａが設けられている。
【００６５】
このため、例えば、夏場などの暑期には、融雪用暖気吹出口４２の開閉弁４２ａを閉状態とし、流路切替弁６ａにより流路を建物１の床上空間１２の給気口７に接続されたダクト８側に切り替えることで、ダクト４の外気吸込口４１から吸い込まれた外気が、地中で地中熱によりほどよく冷やされ、建物１の床上空間１２に涼しい冷気を吹き出す心地良い冷房を行うことができる。
【００６６】
ここで、地中埋設管としてのダクト４の外気吸込口４１には、外気強制吸込手段としての外気吸込用ファン４１ａが設けられている。
【００６７】
このため、外気吸込用ファン４１ａにより、外気吸込口４１から多くの外気を吸い込み、融雪用暖気吹出口４２から多くの暖気を吹き出すことができる。
【００６８】
このような実施例１の建物１は、上記した実施例１の融雪システムを備えた構成とされている。
【００６９】
こうした構成なので、上記した実施例１の融雪システムの作用効果を奏する建物とすることができる。
【実施例２】
【００７０】
次に、実施例２について説明する。
【００７１】
なお、実施例１で説明した内容と同一乃至均等な部分の説明については同一符号を付して説明する。
【００７２】
図７は、実施例２の融雪システムを備えた建物１の概略構成を示している。
【００７３】
この実施例２の建物１では、融雪必要箇所（中心点Ｐ）にヒートポンプ装置Ｈが設置されていることが実施例１の建物１と主に異なる。
【００７４】
ここで、このヒートポンプ装置Ｈは、暖房装置２の熱源であり、暖房装置２は冷房機能も有している。なお、熱媒循環管の図示は省略した。
【００７５】
このため、冬場などの寒期には、暖気を吹き付けると、ヒートポンプ装置Ｈが雪で埋もれてしまうことを防止するとともに、周囲が暖かくなるので、暖房向けのエネルギー効率が良くなり、夏場などの暑期には、地中埋設管としてのダクト４を通った冷気を吹き付けると、冷房向けのエネルギー効率が良くなる。
【００７６】
なお、他の構成及び作用効果については、実施例１と略同様であるので説明を省略する。
【実施例３】
【００７７】
次に、実施例３について説明する。
【００７８】
なお、実施例１で説明した内容と同一乃至均等な部分の説明については同一符号を付して説明する。
【００７９】
図８は、実施例３の融雪システムを備えた建物１の概略構成を示している。
【００８０】
この実施例３の建物１では、通気経路としてのダクト６の一部分６１が地表面近くの地中を通っているとともに、ダクト６と地中埋設管としてのダクト４との合流部に流路切替手段としての流路切替弁４４が設けられ、ダクト６の一部分６１の上部が融雪必要箇所（中心点Ｐ）となっていることが実施例１の建物１と主に異なる。
【００８１】
ここで、この実施例３の融雪システムでも、流路切替弁４４の切替設定により、実施例１の融雪システムと同様、地中埋設管としてのダクト４を利用した融雪運転、暖房装置２を利用した融雪運転、及び両者による融雪運転を行うことができる。
【００８２】
また、断熱材５１，５２については、要部の配置等を分かり易くするために図示を省略した。
【００８３】
このため、融雪用暖気吹出口４２から吹き出される暖気だけでなく、通気経路としてのダクト６の側面から伝達する熱も融雪に利用することができる。
【００８４】
なお、他の構成及び作用効果については、実施例１と略同様であるので説明を省略する。
【００８５】
以上、図面を参照して、本発明を実施するための形態を実施例１〜３に基づいて詳述してきたが、具体的な構成は、これら実施例１〜３に限らず、本発明の要旨を逸脱しない程度の設計的変更は、本発明に含まれる。
【００８６】
例えば、上記した実施例１〜３では、説明を簡単とするために、建物１を単純な構造として実施したが、これに限定されず、勿論、より複雑な構造で実施してもよい。
【００８７】
また、上記した実施例１〜３では、暖房装置２を床下空間１１に設置して実施したが、これに限定されず、例えば、床上空間１２に設置して実施してもよい。
【００８８】
さらに、上記した実施例２では、暖房装置２の熱源であるヒートポンプ装置Ｈに適用して実施したが、これに限定されず、建物１が備える他のヒートポンプ式機器のヒートポンプ装置に適用して実施してもよい。
【符号の説明】
【００８９】
１      建物
１Ａ    建物本体
１Ｂ    基礎
１１    床下空間（内部空間）
１２    床上空間（内部空間）
１３    床部
２      暖房装置
２ａ    暖気吹出部
３      断熱材
４      ダクト（地中埋設管）
４１    外気吸込口
４１ａ  外気吸込用ファン（外気強制吸込手段）
４２    融雪用暖気吹出口
４２ａ  開閉弁（開閉手段）
４３    延設部（通気経路）
４３ａ  開閉弁（開閉手段）
４４    流路切替弁（流路切替手段）
５１    断熱材
５２    断熱材
６      ダクト（通気経路）
６ａ    流路切替弁（流路切替手段）
６１    ダクトの一部分（通気経路の一部分）
７      給気口
８      ダクト（空調用通気経路）
Ｈ      ヒートポンプ装置
Ｐ      融雪必要箇所の中心点
Ｓ      積雪
【図１】
0005926597.tif 000002
【図２】
0005926597.tif 000003
【図３】
0005926597.tif 000004
【図４】
0005926597.tif 000005
【図５】
0005926597.tif 000006
【図６】
0005926597.tif 000007
【図７】
0005926597.tif 000008
【図８】
0005926597.tif 000009